【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
ユーザの識別を管理するコンピューティングシステムであって、
プロセッサを備え、複数のクライアントデバイスの各々と、対応する要求及び応答ストリームで通信するように構成される、サーバと；
前記サーバのプロセッサによって実行される推論エンジンであって、
前記サーバと前記複数のクライアントデバイスの各々との間の前記要求及び応答ストリームを、前記複数のクライアントデバイスの各々を該複数のクライアントデバイスのうちの他のクライアントデバイスと区別する識別ファクタに関してモニタリングし、
前記複数のクライアントデバイスのうちの２つ又はそれ以上のクライアントデバイスが前記ユーザによって使用されるという推論を作成することであって、前記２つ又はそれ以上のクライアントデバイスの各々について、前記識別ファクタのうち閾値確率内で合致する１つ又は複数の識別ファクタを検出すると、前記２つ又はそれ以上のクライアントデバイスが前記ユーザによって使用されると推論し、
前記推論に基づいて、前記２つ又はそれ以上のクライアントデバイスをリンクする仮想識別レコードを前記サーバにおいて作成する
ように構成された推論エンジンと；
前記サーバのプロセッサによって実行される識別検証エンジンであって、
サービスに、該サービスで記録されているものとは異なるクライアントデバイスからログインしている未検証のユーザに関して問い合わせる、識別検証要求を受信するように構成される識別検証エンジンと；
を備え、前記識別検証要求は、前記異なるクライアントデバイスが前記仮想識別レコードにおいて前記ユーザにリンクされているかどうかを尋ねる、  コンピューティングシステム。
【請求項２】
前記推論エンジンは、前記推論に関連付けられる正確性の程度を推定するように構成される、請求項１に記載のコンピューティングシステム。
【請求項３】
前記推論エンジンは、前記仮想識別レコードからの情報を広告エンジンに送信するように構成され、該広告エンジンは、ユーザ対象の広告を、前記２つ又はそれ以上のクライアントデバイスのうちのいずれか１つに送信するように構成される、請求項１に記載のコンピューティングシステム。
【請求項４】
前記要求及び応答ストリームのうちの１つのストリームは、ソーシャルグラフを確立するソーシャルネットワークにわたる前記ユーザの対話に関連付けられる、ソーシャルネットワーク情報を含む、請求項３に記載のコンピューティングシステム。
【請求項５】
前記推論エンジンは、
前記ユーザに関連するソーシャルグラフ情報を、それぞれが異なるソーシャルネットワークサーバ上で動作する複数のソーシャルネットワークから受信し、
異なるソーシャルネットワークの複数のソーシャルグラフから前記ユーザに関するソーシャルスーパーグラフを作成し、
前記異なるソーシャルネットワークの各々を通じなければ相互に接続されないユーザ間のクロスソーシャルネットワーク通信を算出する
ように構成される、請求項４に記載のコンピューティングシステム。
【請求項６】
前記要求及び応答ストリームのうちの別のストリームは、前記ユーザに関連付けられた商取引情報を含み、該商取引情報は、前記ユーザが製品又はサービスを購入したことを示し、該製品又はサービスは、前記ユーザと、前記ソーシャルネットワーク情報において識別される前記ユーザの友達との間の共通の興味に関連し、
前記広告エンジンは、前記商取引情報に基づいて、友達対象の広告を、前記友達に関連付けられたクライアントデバイスに供給するように構成される、請求項５に記載のコンピューティングシステム。
【請求項７】
前記識別検証エンジンは、
前記複数のクライアントデバイスのうち、前記ユーザによって使用される或るクライアントデバイスについて、前記仮想識別レコードと整合しない識別ファクタを検出し、
前記複数のクライアントデバイスのうち、前記ユーザによって使用される別のクライアントデバイスに対して、不正の可能性の警告を送信する
ように構成される、請求項１に記載のコンピューティングシステム。
【請求項８】
ユーザの識別を管理するため、サーバによって実行される方法であって、
複数のクライアントデバイスの各々と、対応する要求及び応答ストリームで通信するステップと、
前記要求及び応答ストリームを、前記複数のクライアントデバイスの各々を該複数のクライアントデバイスのうちの他のクライアントデバイスと区別する識別ファクタに関してモニタリングするステップと、
前記複数のクライアントデバイスのうちの２つ又はそれ以上のクライアントデバイスの各々について、前記識別ファクタのうち閾値確率内で合致する１つ又は複数の識別ファクタを検出するステップと、
前記２つ又はそれ以上のクライアントデバイスが前記ユーザによって使用されるという推論を作成するするステップと、
前記推論に基づいて、前記２つ又はそれ以上のクライアントデバイスをリンクする仮想識別レコードを作成するステップと、
前記仮想識別レコードからの情報を広告エンジンに送信するステップであって、該広告エンジンは、ユーザ対象の広告を、前記２つ又はそれ以上のクライアントデバイスのうちのいずれか１つに供給するように構成される、ステップと、
を含む、方法。
【請求項９】
前記推論に関連付けられる正確性の程度を、他のユーザと対応するクライアントデバイスとのリンク付けからの機械学習に基づいて推定することと、前記推論を検証する要求を前記ユーザに送信することと、
を更に含む、請求項８に記載の方法。
【請求項１０】
前記要求及び応答ストリームの１つのストリームは、ソーシャルグラフを確立するソーシャルネットワークにわたる前記ユーザの対話に関連付けられた、ソーシャルネットワーク情報を含み、前記要求及び応答ストリームの別のストリームは、前記ユーザに関連付けられる商取引の情報を含み、
当該方法は、前記ソーシャルネットワーク情報に基づいて前記ユーザが友達との関係を有すると判断し、かつ前記友達が前記商取引に関連する共通の興味を有すると判断することを更に含み、
前記仮想識別レコードからの情報を前記広告エンジンに送信するステップにおいて、前記広告エンジンが前記商取引の情報に基づいて友達対象の広告を前記友達に関連付けられたクライアントデバイスに供給できるように、前記友達と前記ユーザとの間の前記共通の興味に関連する前記商取引に関する情報を前記広告エンジンに送信することを含む、請求項８に記載の方法。
【手続補正２】
【補正対象書類名】明細書
【補正対象項目名】００２４
【補正方法】変更
【補正の内容】
【００２４】
ユーザ７２は、ユーザクライアントデバイス１６を介して、電子商取引サーバ９８に配置された電子商取引サービス９６を通じて購入を行うこともできる。購入に関連付けられた商取引情報は、推論エンジン２２によって、要求および応答ストリーム７０を介してモニタリングされる。商取引情報は、仮想識別レコード２４内の取引データ１００に格納される。商取引情報は、特に、ユーザが、該ユーザと友達との間の共通の興味に関連する製品またはサービスを購入したことを示すことができる。ユーザと友達との間の共通の興味は、上述のソーシャルネットワーク情報において識別される。このような決定を行うと、広告エンジンは、商取引情報に基づいて、友達対象の広告を、その友達に関連付けられたクライアントデバイスに供給するように構成される。
【手続補正３】
【補正対象書類名】明細書
【補正対象項目名】００２８
【補正方法】変更
【補正の内容】
【００２８】
仮想識別レコード２４において、ユーザクライアントデバイス１１６は、検索プロファイルのファイル７６および取引情報ファイル１００に含まれる。この情報を使用して、ＩＤ検証エンジン１０６は、ユーザクライアントデバイス１１６がユーザ７２にリンクされることと、従って未検証のユーザ１１２がユーザ７２であることとの確実性が、レベル３の確実性を満たす、と決定する。ＩＤ検証エンジン１０６は、ユーザクライアントデバイス１１６がユーザ７２にリンクされていることを示す応答１１８を、第三者アプリケーションストア１０８に送信する。